(57)【要約】      （修正有）【課題】装飾品、玩具、日用品等の物品にも転用可能であり、かつ販促グッズとして用いることができるシートを提供する。【解決手段】四角形のシート素材の周囲３辺に沿って連続的に設けられた第１のミシン目１１０ａと、シート素材を二分割する位置に設けられた折罫１１１と、シート素材における折罫によって二分割された２つの領域のうちの少なくとも一方の領域に設けられた閉パターン形状の第２のミシン目１４とを有する。【選択図】図１３
0003205881.tif 000002
【実用新案登録請求の範囲】
【請求項１】
四角形のシート素材の周囲３辺に沿って連続的に設けられた第１のミシン目と、前記シート素材を二分割する位置に設けられた折罫と、前記シート素材における前記折罫によって二分割された２つの領域のうちの少なくとも一方の領域に設けられた閉パターン形状の第２のミシン目とを有することを特徴とするシート。
【請求項２】
前記シート素材が長方形であり、前記シート素材の対向する一対の短辺および一方の長辺に前記第１のミシン目が形成されると共に、前記シート素材の長手方向中間位置に前記折罫が設けられた請求項１に記載のシート
【請求項３】
前記第２のミシン目が、前記シート素材における前記折罫によって二分割された２つの領域の両方に設けられている請求項１または２に記載のシート。
【請求項４】
前記閉パターン形状の第２のミシン目の内側領域にさらに折罫が設けられた請求項１〜３のいずれか１つに記載のシート。
【請求項５】
前記閉パターン形状の第２のミシン目およびその内側領域の折罫が、ポケットティシュ用カバーの展開図を表現している請求項４に記載のシート。
【請求項６】
請求項１または２に記載のシートにおける前記折罫を境に二つ折りした前記シート素材の重なり合う２辺を溶着してなる溶着部と、前記シート素材の重なり合う残り１辺に設けられた開口部とを有する封筒。
【請求項７】
請求項３に記載のシートにおける前記折罫を境に二つ折りした前記シート素材の重なり合う２辺を溶着してなる溶着部と、前記シート素材の重なり合う残り１辺に設けられた開口部とを有し、前記第２のミシン目が取っ手を形成するための型抜き部となっている手提げ袋。
【考案の詳細な説明】
【技術分野】
【０００１】
本考案は、企業の広告および販売促進用のグッズとして利用可能であると共に、装飾品、日用品、玩具等に転用可能なシートに関する。
【背景技術】
【０００２】
企業における営業活動の一環として、広告および販売促進用のグッズ（以下、「販促グッズ」という）を消費者に無償で配布することがある。販促グッズは、企業が販売する商品やサービス等を消費者に広く認知させ、利用して貰うことにより利益を得ることを目的としている。
【０００３】
販促グッズの代表的な例としては、文房具、カレンダー、タオル、うちわ、携帯用ティッシュペーパー（所謂、「ポケットティッシュ」）等が挙げられ、これらの販促グッズには企業名、商品名、ロゴ、宣伝文句等の広告が印刷されている（例えば、特許文献１参照）。
【先行技術文献】
【特許文献】
【０００４】
【特許文献１】特開２００５−１０４１２２号公報
【考案の概要】
【考案が解決しようとする課題】
【０００５】
しかしながら、前記のような従来型の販促グッズは消費者にとって見慣れた物品が多いため、販促グッズに対する興味や好奇心を消費者に与え難くなっている。そのため、消費者は販促グッズを受け取っても販促グッズに印刷された広告を観ることが少なくなり、その結果、販促グッズによる販売促進効果（収益の増加）を企業が得られ難くなっている。
【０００６】
本考案は、このような課題に鑑みてなされたものであり、装飾品、玩具、日用品等の物品にも転用可能であり、かつ販促グッズとして用いることができるシートを提供することを目的とする。
【課題を解決するための手段】
【０００７】
かくして、本考案によれば、四角形のシート素材の周囲３辺に沿って連続的に設けられた第１のミシン目と、前記シート素材を二分割する位置に設けられた折罫と、前記シート素材における前記折罫によって二分割された２つの領域のうちの少なくとも一方の領域に設けられた閉パターン形状の第２のミシン目とを有するシートが提供される。
【考案の効果】
【０００８】
本考案のシートによれば、シートとして使用できるだけでなく、シート素材から型抜きした所定形状の型抜き部を使用することができる。
シートとしての使用例は、本考案のシートを用いて作製した書類ホルダー（所謂「クリアホルダー」あるいは「クリアファイル」）、封筒、手提げ袋等を代表的に挙げることができる。また、型抜き部は、書類ホルダー、封筒、手提げ袋等の表面、裏面または表裏両面に形成することができる。
また、型抜き部としての使用例は、型抜き部を平面的な装飾品として使用する、あるいは、型抜き部を折り曲げて所定の立体物を組み立て、その立体物を使用することができる。例えば、型抜き部を折り曲げてポケットティシュ用カバーを組み立てて使用したり、所定の折り紙（折り紙成形品）を組み立てて遊んだり、組み立てた折り紙を装飾品として使用することができる。
【０００９】
よって、例えば、本考案のシートを用いて作製した書類ホルダーを企業の販促グッズとして消費者に配布することにより、消費者はその書類ホルダーを使用したり、書類ホルダーの使用後に型抜き部を使用することができる。つまり、その販促グッズは書類ホルダーから所定機能を有する型抜き部に転用することができるため、消費者は今までにない目新しい販促グッズと共に販促グッズの提供者である企業や広告内容に興味や関心を示すことが予想され、その結果、販促グッズによる大きな販売促進効果を期待することができる。
あるいは、本考案のシートを用いて作製した封筒に企業の広告チラシを入れて消費者に送付することにより、その封筒自体も広告媒体となり得ると共に、使用後の封筒の隣接する２辺を切り取って書類ホルダーに転用したり、所定機能を有する型抜き部を使用することができる。このようにしても、通常の封筒に広告チラシを入れて消費者に送付する場合に比べてより大きな販売促進効果を期待することができる。
【図面の簡単な説明】
【００１０】
【図１】本考案のシートの実施形態１を示す正面図である。
【図２】図１のシートから型抜きした型抜き部を示す正面図である。
【図３】図２のポケットティッシュ用カバーを組み立ててカバーシート部を開いた状態を示す斜視図である。
【図４】図３の組み立て後のポケットティッシュ用カバーのカバーシート部を閉じた状態を示す斜視図である。
【図５】実施形態１のシートを用いて作製した書類ホルダーを示す正面図である。
【図６】図５の書類ホルダーの背面図である。
【図７】図５の書類ホルダーの平面図である。
【図８】図５の書類ホルダーの底面図である。
【図９】図５の書類ホルダーの右側面図である。
【図１０】図５の書類ホルダーの左側面図である。
【図１１】図９のＡ−Ａ部分拡大図である。
【図１２】図９のＢ−Ｂ部分拡大図である。
【図１３】本考案のシートの実施形態２を示す正面図である。
【図１４】実施形態２のシートを用いて作製した書類ホルダーを示す正面図である。
【図１５】図１４の書類ホルダーの背面図である。
【考案を実施するための形態】
【００１１】
本考案のシートは、四角形のシート素材の周囲３辺に沿って連続的に設けられた第１のミシン目と、前記シート素材を二分割する位置に設けられた折罫と、前記シート素材における前記折罫によって二分割された２つの領域のうちの少なくとも一方の領域に設けられた閉パターン形状の第２のミシン目とを有し、このシートを用いた書類ホルダー、封筒または手提げ袋を作製することができる。
【００１２】
本考案のシートは、次のように構成されてもよく、さらにそれらが適宜組み合わされてもよい。
（１）本考案のシートにおいて、前記シート素材が長方形であり、前記シート素材の対向する一対の短辺および一方の長辺に前記第１のミシン目が形成されると共に、前記シート素材の長手方向中間位置に前記折罫が設けられてもよい。
この場合、シートにおける前記折罫を境に二つ折りした前記シート素材の重なり合う２辺を溶着してなる溶着部と、前記シート素材の重なり合う残り１辺に設けられた開口部とを有する封筒を得ることができる。
【００１３】
（２）前記第２のミシン目が、前記シート素材における前記折罫によって二分割された２つの領域の両方に設けられてもよい。
この場合、シートにおける前記折罫を境に二つ折りした前記シート素材の重なり合う２辺を溶着してなる溶着部と、前記シート素材の重なり合う残り１辺に設けられた開口部とを有し、前記第２のミシン目が取っ手を形成するための型抜き部となっている手提げ袋を得ることができる。
【００１４】
（３）前記閉パターン形状の第２のミシン目（以下、「型抜き部」という場合がある）の内側領域にさらに折罫が設けられてもよい。
また、前記型抜き部が、所定形状の切れ込みを有していてもよい。
また、この場合、前記型抜き部が、前記所定パターンの折罫を折ることにより形成される所定立体物の展開図を表現してもよい。
このようにすることにより、シート状の型抜き部から所定立体物を容易に組み立てることができる。この際、折罫は複雑な形状の立体物の組み立てを容易とし、切れ込みは組み立てた立体物の形状維持を容易とする。
前記所定立体物としては、特に限定されないが、例えば、ポケットティシュ用カバーが挙げられる。この場合、前記シートにおいて、前記閉パターン形状の第２のミシン目およびその内側領域の折罫が、ポケットティシュ用カバーの展開図を表現していることとなる。
前記所定立体物としては、その他に、ペン立て、ペンケースおよび小物入れといった日用品、様々な種類の折り紙およびお面（マスク）といった玩具等が挙げられる。
【００１５】
また、前記型抜き部が、絵、写真、文章、図形および記号のうち少なくとも１つを含む印刷部分を有していてもよい。この場合、印刷部分における文章、絵、写真、図形および記号としては、特に限定されず、絵および／または写真としては、例えば、独自に創作したキャラクター、漫画、アニメ、映画等に登場するキャラクター、動物、植物、風景等が挙げられる。また、文章、図形および／または記号は、例えば、本考案のシートを消費者に提供する企業の名称、商品名、ロゴ、宣伝文句等の広告内容、公共マナーを訴える広告内容、印刷部分における絵や写真の説明等を表示してもよい。なお、本考案のシートにおける型抜き部以外の周辺部にも同様の印刷部分が設けられていてもよい。
【００１６】
前記シート素材の材料は、特に限定されるものではなく、例えば、合成樹脂材料または紙材料を挙げることができる。
また、合成樹脂材料としては、ポリプロピレン、ポリエチレンまたはポリエチレンテレフタレートを用いることができる。
また、紙材料としては、アート紙、コート紙、マットコート紙、ミラーコート紙、アートポストまたはケント紙を用いることができる。
以下、図面を参照しながら、本考案のシートの実施形態を詳説する。
【００１７】
（実施形態１：参考例）
図１は本考案のシートの実施形態１を示す正面図である。
実施形態１のシートＳ１は、シート素材１０に形成されたミシン目１４によって所定の閉パターン形状に形成され、かつシート素材１０からミシン目１４に沿って型抜き可能に構成された型抜き部１２Ｘを有し、書類ホルダー用として製造されたものである。
シート素材１０は、丸みを帯びた四つ角を有する略長方形のポリプロピレン製シートからなり、長手方向の中間位置に短辺と平行な折罫１１が形成されると共に、一方の短辺に半円形の切欠き１３ａおよび略直角三角形の切欠き１３ｂが形成されている。そして、シート素材１０において、他方の短辺と折罫１１の間に型抜き部１２Ｘが設けられている。
【００１８】
実施形態１の場合、閉パターン形状のミシン目１４および複数の折罫１５によって、ポケットティッシュ用カバーの展開図が表現されており、この展開図によって型抜き部１２Ｘが構成されている。
また、型抜き部１２Ｘは、ポケットティッシュ用カバーのティッシュ取出口を形成するための閉形状のミシン目１６と、このミシン目１６の近傍に形成された円弧状の切れ込み１７とを所定エリア内に有している。なお、型抜き部１２Ｘの各部分について詳しくは後述する。
【００１９】
このシートＳ１の製造に際しては、例えば、所定サイズ（例えば、６４５ｍｍ×９００ｍｍ）のポリプロピレンシートをトムソン打抜き装置を用いて打ち抜くことにより、１枚のポリプロピレンシートにつき４枚のシートＳ１を製造することができる。この際、各シートＳ１における前述の折罫１１、１５、ミシン目１４、１６および切れ込み１７も同時に形成する。なお、折罫１１、１５は、ポリプロピレンシートの片面のみに形成してもよいし、両面の同じ位置に形成してもよい。
【００２０】
また、シートＳ１において、型抜き部１２Ｘと型抜き部１２Ｘ以外の領域のうち少なくとも一方が、絵、写真、文章、図形および記号のうち少なくとも１つを含む印刷部分を有する場合、ポリプロピレンシートの打抜き工程前に、印刷工程が行われる。
例えば、印刷工程にてポリプロピレンシートに犬、猫、パンダ、ウサギ等の動物の絵を印刷し、打抜き工程にて印刷部分をミシン目１４で包囲するように型抜き部１２Ｘを形成する。
【００２１】
図２は図１のシートＳ１から型抜きした型抜き部１２を示す正面図である。
図１に示したシートＳ１のミシン目１４に沿って型抜き部１２Ｘを型抜きすると、図２に示す型抜き部１２を得ることができる。なお、型抜き後の型抜き部１２は、組み立て前のポケットティッシュ用カバー１２であり、ミシン目１６で囲まれた部分を除去してティッシュ取出口１２Ａｄが形成されている。以下、ポケットティッシュ用カバー１２を「ティッシュカバー１２」と略称する場合がある。
【００２２】
ティッシュカバー１２は、ティッシュ取出口１２Ａｄおよび切り込み１７を有する表面側の第１シート部１２Ａと、第１シート部１２Ａに連設された裏面側の第２シート部１２Ｂと、第２シート部１２Ｂに連設されたカバーシート部１２Ｃとを備え、これら第１、第２およびカバーシート部１２Ａ、１２Ｂ、１２Ｃはポケットティッシュのサイズよりも少し大きいサイズに形成されている。
【００２３】
また、第１シート部１２Ａの長辺および対向する短辺にはポケットティッシュを抱き込む保持片１２Ａａ、１２Ａｂ、１２Ａｃが連設され、第２シート部１２Ｂの対向する短辺には前記保持片１２Ａａの先端を保持する保持片１２Ｂａ、１２Ｂｂが連設されている。さらに、カバーシート部１２Ｃの長辺には一対の切欠き１８が形成されると共に、切り込み１７に差し込まれる差込み片１９が形成されている。
【００２４】
図３は図２のポケットティッシュ用カバーを組み立ててカバーシート部を開いた状態を示す斜視図であり、図４は図３の組み立て後のポケットティッシュ用カバーのカバーシート部を閉じた状態を示す斜視図である。
このティッシュカバー１２を組み立てる際、図２と図３に示すように、まず、ポケットティッシュＴの開口部Ｔ１と、展開状態のティッシュカバー１２の内面側のティッシュ取出口１２Ａｄとを対向させ、保持片１２Ａａ、１２Ａｂ、１２Ａｃを内側に折り曲げてポケットティッシュＴを包み込む。
【００２５】
次に、保持片１２Ｂａ、１２Ｂｂを内側に折り曲げた後、第２シート部１２Ｂを折り曲げてポケットティッシュＴを包み込み、保持片１２Ａａの先端を保持片１２Ｂａ、１２Ｂｂと第２シート部１２Ｂの間の隙間に差し込む。
これにより、図３に示す開いた状態となり、カバーシート部１２Ｃの差込み片１９を第１シート部１２Ａの切り込み１７に差し込むことにより、図４に示す閉じた状態となる。
【００２６】
図５は実施形態１のシートを用いて作製した書類ホルダーを示す正面図であり、図６は図５の書類ホルダーの背面図であり、図７は図５の書類ホルダーの平面図であり、図８は図５の書類ホルダーの底面図であり、図９は図５の書類ホルダーの右側面図であり、図１０は図５の書類ホルダーの左側面図であり、図１１は図９のＡ−Ａ部分拡大図であり、図１２は図９のＢ−Ｂ部分拡大図である。なお、図５〜図１２において、図１〜図４中の要素と同様の要素には同一の符号を付している。
【００２７】
実施形態１のシートＳ１を用いて書類ホルダーＨを作製する場合、例えば、折罫１１を境にシート素材１０を二つ折りし、二つ折りしたシート素材１０の重なり合う一方の短辺（切欠き１３ｂ側の短辺）を溶着する。溶着方法としては、例えば、超音波溶着を採用することができる。これにより、折り目２１と溶着部２２に対向する長辺と短辺は連続的な開口部となる。
【００２８】
実施形態１における書類ホルダーＨは、一般に「クリアホルダー」あるいは「クリアファイル」と呼ばれ、書類が内部に差し入れられて保管する事務用品であるが、透明性の有無に関しては特に限定されない。すなわち、前記のようにシートＳ１が印刷部分を有していたり、シート素材１０自体が部分的または全体的に着色されている場合などでは、印刷部分および着色部分が不透明または半透明であってもよい。
【００２９】
また、この書類ホルダーＨを、例えば、販促グッズとして製造する場合は、書類ホルダーＨを消費者に提供する企業の企業名、商品名、ロゴ、宣伝文句等の広告が印刷されてもよい。さらに、この書類ホルダーＨに消費者が興味や関心を引かれやすくなるような絵、写真、文章、図形および記号等が印刷されてもよい。例えば、型抜き部１２Ｘの領域にかわいらしい動物の絵を印刷することにより、特に、子供や女性の興味や関心を引きやすくなると共に、型抜き部１２Ｘを型抜きしてティッシュカバー１２を組み立てることができる（転用できる）という目新しさにも注目が集まりやすくなる。なお、ティッシュカバー１２の組み立て方を説明する文章や図も印刷してもよい。
【００３０】
（実施形態２）
図１３は本考案のシートの実施形態２を示す正面図である。また、図１４は実施形態２のシートを用いて作製した書類ホルダーを示す正面図であり、図１５は図１４の書類ホルダーの背面図である。なお、図１３〜図１５において、図１〜図１２中の要素と同様の要素には同一の符号を付している。
以下、実施形態２における実施形態１とは異なる点を主に説明する。
【００３１】
実施形態２のシートＳ２は、シート素材１１０に形成されたミシン目１４によって所定の閉パターン形状に形成され、かつシート素材１１０からミシン目１４に沿って型抜き可能に構成された型抜き部１２Ｘを有し、封筒用として製造されたものである。さらに、このシートＳ２は、封筒の使用後には、実施形態１と同様に、書類ホルダーに転用でき、さらに、書類ホルダーから型抜きした型抜き部をティッシュカバーに組み立てて使用できるように構成されている。
【００３２】
このシートＳ２のシート素材１１０は、実施形態１のシートＳ１のシート素材１０（図１参照）よりも大きいサイズに形成されており、その長手方向の中間位置に折罫１１１が形成されると共に、シート素材１１０の対向する一対の短辺およびそれらの間の一方の長辺に沿ってミシン目１１０ａが形成されている。さらに、そのシート素材１１０において、ミシン目１１０ａの型抜き部１２Ｘ近傍の短辺と反対側の短辺には、半円形のミシン目１１３ａおよび略直角三角形のミシン目１１３ｂが連続的に形成されている。
【００３３】
このシートＳ２の製造に際しては、例えば、所定サイズ（例えば、６４５ｍｍ×９００ｍｍ）のポリプロピレンシートをトムソン打抜き装置を用いて打ち抜くことにより、１枚のポリプロピレンシートにつき４枚のシートＳ２を製造することができる。この際、各シートＳ２における前述の折罫１１１、１５、ミシン目１４、１６、１１０ａ、１１３ａ、１１３ｂおよび切れ込み１７も同時に形成する。
なお、シートＳ２において、型抜き部１２Ｘと型抜き部１２Ｘ以外の領域のうち少なくとも一方が、絵、写真、文章、図形および記号のうち少なくとも１つを含む印刷部分を有する場合は、実施形態１と同様に、ポリプロピレンシートの打抜き工程前に、印刷工程が行われる。
【００３４】
実施形態２のシートＳ２を用いて封筒Ｆを作製する場合、例えば、折罫１１１を境にシート素材１１０を二つ折りし、二つ折りしたシート素材１１０の重なり合う一方の短辺（ミシン目１１３ｂ側の短辺）および二つ折りしたシート素材１１０の重なり合う長辺を溶着する。溶着方法としては、例えば、超音波溶着を採用することができる。これにより、図１４に示すように、折り目１２１と溶着部１２２、１２３を除く短辺に開口部を有する封筒Ｆが形成される。
【００３５】
この封筒Ｆは、Ａ４サイズの書類を収納できる定形の封筒であり、正面に宛先および差出人が記載されたラベルが貼り付けられる。
そして、この封筒Ｆ内に書類（例えば、企業のチラシ）を入れた後、開口部を封止する。この際、二点鎖線で示す開口部の封止部１２４は、溶着でもよいが、糊や両面テープを用いて簡単に封止してもよい。
【００３６】
この封筒Ｆを用いた封書を受け取った消費者は、ミシン目１１０ａに沿って外周部をＬ字形に開封することにより、封筒Ｆの中身を取り出すことができる。さらに、ミシン目１１３ａ、１１３ｂに沿って円弧形部分と略三角形部分を切り取ることにより、開封後の封筒を実施形態１と同様の書類ホルダーとして使用することができる（図５、図６参照）。また、書類ホルダーの使用後、あるいは書類ホルダーとして使用しない場合は、型抜き部１２Ｘを型抜きしてティッシュカバーを組み立てて使用することができる（図３、図４参照）。
【００３７】
（他の実施形態）
１．実施形態１および２における型抜き部を折り紙の展開図に変更してもよい。この場合、折り上げた折り紙の折り目の位置に折罫が配置されるように型抜き部を形成する。このようにすれば、折り紙シリーズの型抜き部を有する書類ホルダーや封筒を作製することができる。また、その折り紙の折り方の説明を型抜き部の余白部分または型抜き部が形成されていない面に印刷してもよい。
２．本考案のシートは、シート素材の全面に型抜き部が設けられてもよく、さらには、複数の型抜き部が設けられてもよい。そして、このシートをそのまま販促グッズとして配布したり、あるいは日用品、玩具等として販売してもよい。
３．アート紙、コート紙、マットコート紙、ミラーコート紙、アートポストまたはケント紙等の紙材料からなるシート素材を用いて、実施形態１および２と同様の書類ホルダーおよび封筒を作製してもよい。
４．本考案のシートは、書類ホルダーおよび封筒以外にも、手提げ袋に適用することもできる。この場合、例えば、図１４の封筒Ｆのように、上辺を除く周囲３辺を折り目および溶着部とし、上辺を開口部とした袋を形成し、この袋における重ね合わせた２枚のシートの上部に楕円形の型抜き部を形成し、楕円形の型抜き部を型抜きして取っ手を形成することにより手提げ袋となる。
【産業上の利用可能性】
【００３８】
本考案のシートは、装飾品、玩具、日用品等の物品にも転用可能であり、かつ販促グッズとして用いることができ、シートその物としての利用の他に、書類ホルダー、封筒、手提げ袋等に利用することができる。
【符号の説明】
【００３９】
１０、１１０  シート素材
１１、１５、１１１  折罫（折線）
１２  ポケットティッシュ用カバー（型抜きした型抜き部）
１２Ｘ  型抜き前の型抜き部
１４、１６、１１０ａ、１１３ａ、１１３ｂ  ミシン目
１７  切れ込み
２１  折り目
Ｆ  封筒
Ｈ  書類ホルダー
Ｓ１、Ｓ２  シート
【図１】
0003205881.tif 000003
【図２】
0003205881.tif 000004
【図３】
0003205881.tif 000005
【図４】
0003205881.tif 000006
【図５】
0003205881.tif 000007
【図６】
0003205881.tif 000008
【図７】
0003205881.tif 000009
【図８】
0003205881.tif 000010
【図９】
0003205881.tif 000011
【図１０】
0003205881.tif 000012
【図１１】
0003205881.tif 000013
【図１２】
0003205881.tif 000014
【図１３】
0003205881.tif 000015
【図１４】
0003205881.tif 000016
【図１５】
0003205881.tif 000017